【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
所定の開口が設けられたプリント配線基板であって、
前記プリント配線基板に実装され、電圧が入力される一次側電極対と、前記一次側電極対に入力される電圧に応じた出力電圧を発生する二次側電極と、前記一次側電極対を接続する導電性抵抗体とを備える圧電素子と、
前記プリント配線基板に実装され、前記圧電素子と接続された半導体部品と、
前記圧電素子の前記一次側電極対が接続された第一の接続部と、
前記圧電素子の前記二次側電極が接続された第二の接続部と、
を有し、
前記所定の開口は、前記第一の接続部と前記第二の接続部との間であり、且つ前記圧電素子が備える前記導電性抵抗体が設けられた位置とは異なる位置と対向して設けられていることを特徴とするプリント配線基板。
【請求項２】
前記第一の接続部と電気的に接続された第一の導電性パターンと、
前記第二の接続部と電気的に接続された第二の導電性パターンとを有し、
前記所定の開口は前記第一の導電性パターンと前記第二の導電性パターンの間に設けられていることを特徴とする請求項１に記載のプリント配線基板。
【請求項３】
前記第一の導電性パターンと前記第二の導電性パターンは、前記圧電素子が実装された面とは反対の面に形成されていることを特徴とする請求項２に記載のプリント配線基板。
【請求項４】
前記二次側電極から発生した出力電圧を整流及び平滑する整流平滑回路をさらに有することを特徴とする請求項１乃至３のいずれか１項に記載のプリント配線基板。
【請求項５】
前記圧電素子の前記一次側電極対に並列に接続されたコンデンサをさらに有し、
前記半導体部品は電界効果トランジスタであり、
前記導電性抵抗体の抵抗値は、前記圧電素子の前記一次側電極対の間の静電容量と、前記電界効果トランジスタのゲートとソース間の静電容量と、前記電界効果トランジスタのゲートとソース間の耐圧と、前記コンデンサの静電容量に基づき設定された値であることを特徴とする請求項１乃至４のいずれか１項に記載のプリント配線基板。
【請求項６】
前記導電性抵抗体は、半田フロー槽に前記プリント配線基板を搬送することにより前記プリント配線基板に前記圧電素子を半田付けする際の熱によって前記圧電素子から発生する焦電電圧による電流を低減することを特徴とする請求項１乃至５のいずれか１項に記載のプリント配線基板。
【請求項７】
前記導電性抵抗体は、導電性塗料により形成されることを特徴とする請求項１乃至６のいずれか１項に記載のプリント配線基板。
【請求項８】
電圧が入力される一次側電極対と前記一次側電極対に入力される電圧に応じた出力電圧を発生する二次側電極と前記一次側電極対を接続する導電性抵抗体とを備える圧電素子と、前記圧電素子と接続される半導体素子を実装するためのプリント配線基板であって、
前記圧電素子の前記一次側電極対を接続するための第一の接続部と、
前記圧電素子の前記二次側電極を接続するための第二の接続部と、
前記第一の接続部と前記第二の接続部の間であり、且つ、前記圧電素子が備える前記導電性抵抗体が設けられた位置とは異なる位置と対向して設けられた所定の開口と
を有することを特徴とするプリント配線基板。
【請求項９】
前記第一の接続部は、前記圧電素子を前記プリント配線基板に取り付ける際に、前記一次側電極対が貫通するための第一の開口であり、
前記第二の接続部は、前記圧電素子を前記プリント配線基板に取り付ける際に、前記二次側電極が貫通するための第二の開口であることを特徴とする請求項８に記載のプリント配線基板。
【請求項１０】
前記圧電素子が前記プリント配線基板に取り付けられた際に、前記一次側電極対と電気的に接続する第一の導電性パターンと、
前記圧電素子が前記プリント配線基板に取り付けられた際に、前記二次側電極と電気的に接続する第二の導電性パターンとをさらに有し、
前記所定の開口は前記第一の導電性パターンと前記第二の導電性パターンの間に設けられることを特徴とする請求項８または９に記載のプリント配線基板。
【請求項１１】
前記第一の導電性パターンと前記第二の導電性パターンは、前記圧電素子が実装される面とは反対の面に形成されることを特徴とする請求項１０に記載のプリント配線基板。
【請求項１２】
前記導電性抵抗体は、半田フロー槽に前記プリント配線基板を搬送することにより前記プリント配線基板に前記圧電素子を半田付けする際の熱によって前記圧電素子から発生する焦電電圧による電流を低減することを特徴とする請求項８乃至１１のいずれか１項に記載のプリント配線基板。
【請求項１３】
前記導電性抵抗体は、導電性塗料により形成されることを特徴とする請求項８乃至１２のいずれか１項に記載のプリント配線基板。
【請求項１４】
所定の開口が設けられたプリント配線基板と、
前記プリント配線基板に実装され、電圧が入力される一次側電極対と前記一次側電極対に入力される電圧に応じた出力電圧を発生する二次側電極と前記一次側電極対を接続する導電性抵抗体とを備える圧電素子と、
前記プリント配線基板に実装され、前記圧電素子と接続された半導体部品と、
前記プリント配線基板に実装され、前記二次側電極と接続されており、前記二次側電極から発生した出力電圧を整流及び平滑する整流平滑回路とを有し、
前記所定の開口は、前記一次側電極対の接続部と前記二次側電極の接続部との間に設けられ、且つ前記圧電素子が備える前記導電性抵抗体が設けられた位置とは異なる位置と対向して設けられていることを特徴とする電源装置。
【請求項１５】
前記半導体部品は電界効果トランジスタであり、
前記電源装置は、前記電界効果トランジスタを駆動するための信号を出力する制御手段を有し、
前記制御手段は、前記信号の周波数を変更することにより前記圧電素子の二次側電極から発生する出力電圧を制御することを特徴とする請求項１４に記載の電源装置。
【請求項１６】
前記整流平滑回路によって整流及び平滑された電圧を検出する検出回路をさらに有し、
前記制御手段は、前記検出回路によって検出された電圧に基づき前記信号の周波数を制御することを特徴とする請求項１５に記載の電源装置。
【請求項１７】
記録材に画像を形成する画像形成装置において、
像担持体と、
前記像担持体に画像を形成するための画像形成手段と、
前記画像形成手段に電圧を供給する電源とを有し、
前記電源は、
所定の開口が設けられたプリント配線基板と、
前記プリント配線基板に実装され、電圧が入力される一次側電極対と前記一次側電極対に入力される電圧に応じた出力電圧を発生する二次側電極と前記一次側電極対を接続する導電性抵抗体とを備える圧電素子と、
前記プリント配線基板に実装され、前記圧電素子と接続された半導体部品と、
前記プリント配線基板に実装され、前記二次側電極と接続されており、前記二次側電極から発生した出力電圧を整流及び平滑する整流平滑回路とを有し、
前記所定の開口は、前記一次側電極対の接続部と前記二次側電極の接続部との間に設けられ、且つ前記圧電素子が備える前記導電性抵抗体が設けられた位置とは異なる位置と対向して設けられていることを特徴とする画像形成装置。
【請求項１８】
前記半導体部品は電界効果トランジスタであり、
前記電源は、前記電界効果トランジスタを駆動するための信号を出力する制御手段をさらに有し、
前記制御手段は、前記信号の周波数を変更することにより前記圧電素子の二次側電極から発生する出力電圧を制御することを特徴とする請求項１７に記載の画像形成装置。
【請求項１９】
前記整流平滑回路によって整流及び平滑された電圧を検出する検出回路をさらに有し、
前記制御手段は、前記検出回路によって検出された電圧に基づき前記信号の周波数を制御することを特徴とする請求項１８に記載の画像形成装置。
【請求項２０】
前記画像形成手段は、像担持体を帯電するための帯電手段、前記像担持体に形成された潜像を現像する現像手段、前記像担持体に形成された画像を記録材に転写するための転写手段のいずれかを含むことを特徴とする請求項１７ないし１９のいずれか１項に記載の画像形成装置。
【手続補正２】
【補正対象書類名】明細書
【補正対象項目名】００１０
【補正方法】変更
【補正の内容】
【００１０】
本発明によれば、所定の開口が設けられたプリント配線基板であって、
前記プリント配線基板に実装され、電圧が入力される一次側電極対と、前記一次側電極対に入力される電圧に応じた出力電圧を発生する二次側電極と、前記一次側電極対を接続する導電性抵抗体とを備える圧電素子と、
前記プリント配線基板に実装され、前記圧電素子と接続された半導体部品と、
前記圧電素子の前記一次側電極対が接続された第一の接続部と、
前記圧電素子の前記二次側電極が接続された第二の接続部と、
を有し、
前記所定の開口は、前記第一の接続部と前記第二の接続部との間であり、且つ前記圧電素子が備える前記導電性抵抗体が設けられた位置とは異なる位置と対向して設けられていることを特徴とするプリント配線基板
が提供される。